【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
第１の動作モードと、消費電力が前記第１の動作モードより少ない第２の動作モードと、を切り替えて所定の動作を実行する演算回路部と、
前記演算回路部から出力される特定の制御信号に基づいて、負荷に駆動電圧を供給する電源供給回路と、を有し、
前記演算回路部は、前記電源供給回路に前記特定の制御信号を送信した後に、前記第１の動作モードから前記第２の動作モードへ移行し、前記第２の動作モードでは前記特定の制御信号を出力せず、
前記電源供給回路は、前記特定の制御信号に基づいて、前記演算回路部が前記第２の動作モードになっている間に、前記負荷への前記駆動電圧の供給を維持して前記負荷の動作状態を継続させることを特徴とする電源制御装置。
【請求項２】
前記演算回路部は、同期シリアルインターフェースを介して、前記電源供給回路に接続され、
前記特定の制御信号は、前記演算回路部と前記電源供給回路とを同期する同期信号と、前記電源供給回路における前記負荷への前記駆動電圧の供給状態を設定するコマンド信号と、を含むことを特徴とする請求項１に記載の電源制御装置。
【請求項３】
前記演算回路部は、前記第２の動作モードにおいて前記負荷により特定の状態が検出された場合に、前記第２の動作モードから前記第１の動作モードに移行することを特徴とする請求項１又は２に記載の電源制御装置。
【請求項４】
前記演算回路部は、前記第１の動作モードと前記第２の動作モードとの間の消費電力で前記動作を実行する第３の動作モードを有し、前記第１の動作モードと前記第３の動作モードとを所定の周期で切り替えて、前記動作を実行することを特徴とする請求項１乃至３のいずれかに記載の電源制御装置。
【請求項５】
前記電源供給回路は、複数の前記負荷に個別に前記所定の駆動電圧を供給する複合電源回路であることを特徴とする請求項１乃至４のいずれかに記載の電源制御装置。
【請求項６】
前記電源供給回路は、前記演算回路部から送信される前記特定の制御信号に基づいて、前記第２の動作モードにおける前記複数の負荷への前記駆動電圧の供給状態を個別に設定することを特徴とする請求項５記載の電源制御装置。
【請求項７】
第１の動作モードと、消費電力が前記第１の動作モードより少ない第２の動作モードと、を切り替えて所定の動作を実行する演算回路部と、
利用者の入力操作に関連する信号を検出する検出部と、
前記演算回路部から出力される特定の制御信号に基づいて、前記検出部に所定の駆動電圧を供給する電源供給回路と、
前記演算回路部は、前記電源供給回路に前記特定の制御信号を送信した後に、前記第１の動作モードから前記第２の動作モードへ移行し、前記第２の動作モードでは前記特定の制御信号を出力せず、
前記電源供給回路は、前記特定の制御信号に基づいて、前記演算回路部が前記第２の動作モードになっている間に、前記検出部への前記駆動電圧の供給を維持して前記検出部の動作状態を継続させることを特徴とする電子機器。
【請求項８】
前記演算回路部は、前記第２の動作モードにおいて前記検出部により前記利用者の入力操作に関連する状態が検出された場合に、前記第２の動作モードから前記第１の動作ドに移行することを特徴とする請求項７に記載の電子機器。
【請求項９】
第１の動作モードと、消費電力が前記第１の動作モードより少ない第２の動作モードと、を切り替えて所定の動作を実行する演算回路部と、前記演算回路部から出力される特定の制御信号に基づいて、負荷に駆動電圧を供給する電源供給回路と、を有し、
前記演算回路部から前記電源供給回路に前記特定の制御信号を送信した後に、前記演算回路部を前記第１の動作モードから前記第２の動作モードへ移行させて、前記演算回路部を前記特定の制御信号を出力しない状態とし、
前記特定の制御信号に基づいて、前記演算回路部が前記第２の動作モードになっている間に、前記電源供給回路から前記負荷への前記駆動電圧の供給を維持して前記負荷の動作状態を継続する、ことを特徴とする電源制御装置の制御方法。
【請求項１０】
前記第２の動作モードにおいて前記負荷により特定の状態が検出された場合に、前記演算回路部を前記第２の動作モードから前記第１の動作モードに移行することを特徴とする請求項９に記載の電源制御装置の制御方法。
【請求項１１】
第１の動作モードと、消費電力が前記第１の動作モードより少ない第２の動作モードと、を切り替えて所定の動作を実行する演算回路部を備えるコンピュータに、
前記演算回路部から出力される特定の制御信号に基づいて、負荷に駆動電圧を供給する電源供給回路に前記特定の制御信号を送信させた後に、前記演算回路部を前記第１の動作モードから前記第２の動作モードへ移行させて、前記演算回路部を前記特定の制御信号を出力しない状態とさせ、
前記特定の制御信号に基づいて、前記演算回路部が前記第２の動作モードになっている間に、前記電源供給回路から前記負荷への前記駆動電圧の供給を維持して前記負荷の動作状態を継続させる、ことを特徴とする電源制御装置の制御プログラム。
【請求項１２】
前記第２の動作モードにおいて前記負荷により特定の状態が検出された場合に、前記演算回路部を前記第２の動作モードから前記第１の動作モードに移行させることを特徴とする請求項１１に記載の電源制御装置の制御プログラム。
【手続補正２】
【補正対象書類名】明細書
【補正対象項目名】０００７
【補正方法】変更
【補正の内容】
【０００７】
本発明に係る電源制御装置は、
第１の動作モードと、消費電力が前記第１の動作モードより少ない第２の動作モードと、を切り替えて所定の動作を実行する演算回路部と、
前記演算回路部から出力される特定の制御信号に基づいて、負荷に駆動電圧を供給する電源供給回路と、を有し、
前記演算回路部は、前記電源供給回路に前記特定の制御信号を送信した後に、前記第１の動作モードから前記第２の動作モードへ移行し、前記第２の動作モードでは前記特定の制御信号を出力せず、
前記電源供給回路は、前記特定の制御信号に基づいて、前記演算回路部が前記第２の動作モードになっている間に、前記負荷への前記駆動電圧の供給を維持して前記負荷の動作状態を継続させることを特徴とする。
【手続補正３】
【補正対象書類名】明細書
【補正対象項目名】０００８
【補正方法】変更
【補正の内容】
【０００８】
本発明に係る電子機器は、
第１の動作モードと、消費電力が前記第１の動作モードより少ない第２の動作モードと、を切り替えて所定の動作を実行する演算回路部と、
利用者の入力操作に関連する信号を検出する検出部と、
前記演算回路部から出力される特定の制御信号に基づいて、前記検出部に所定の駆動電圧を供給する電源供給回路と、
前記演算回路部は、前記電源供給回路に前記特定の制御信号を送信した後に、前記第１の動作モードから前記第２の動作モードへ移行し、前記第２の動作モードでは前記特定の制御信号を出力せず、
前記電源供給回路は、前記特定の制御信号に基づいて、前記演算回路部が前記第２の動作モードになっている間に、前記検出部への前記駆動電圧の供給を維持して前記検出部の動作状態を継続させることを特徴とする。
【手続補正４】
【補正対象書類名】明細書
【補正対象項目名】０００９
【補正方法】変更
【補正の内容】
【０００９】
本発明に係る電源制御装置の制御方法は、
第１の動作モードと、消費電力が前記第１の動作モードより少ない第２の動作モードと、を切り替えて所定の動作を実行する演算回路部と、前記演算回路部から出力される特定の制御信号に基づいて、負荷に駆動電圧を供給する電源供給回路と、を有し、
前記演算回路部から前記電源供給回路に前記特定の制御信号を送信した後に、前記演算回路部を前記第１の動作モードから前記第２の動作モードへ移行させて、前記演算回路部を前記特定の制御信号を出力しない状態とし、
前記特定の制御信号に基づいて、前記演算回路部が前記第２の動作モードになっている間に、前記電源供給回路から前記負荷への前記駆動電圧の供給を維持して前記負荷の動作状態を継続する、ことを特徴とする。
【手続補正５】
【補正対象書類名】明細書
【補正対象項目名】００１０
【補正方法】変更
【補正の内容】
【００１０】
本発明に係る電源制御装置の制御プログラムは、
第１の動作モードと、消費電力が前記第１の動作モードより少ない第２の動作モードと、を切り替えて所定の動作を実行する演算回路部を備えるコンピュータに、
前記演算回路部から出力される特定の制御信号に基づいて、負荷に駆動電圧を供給する電源供給回路に前記特定の制御信号を送信させた後に、前記演算回路部を前記第１の動作モードから前記第２の動作モードへ移行させて、前記演算回路部を前記特定の制御信号を出力しない状態とさせ、
前記特定の制御信号に基づいて、前記演算回路部が前記第２の動作モードになっている間に、前記電源供給回路から前記負荷への前記駆動電圧の供給を維持して前記負荷の動作状態を継続させる、ことを特徴とする。